(57)【要約】本発明はブラシの着脱が可能な化粧ブラシが備えられたメイクアップ化粧品容器に関するものであって、内容物が貯蔵される複数の収納溝が区画される本体と前記本体を開閉するように結合される蓋とで構成されるメイクアップ化粧品容器において、前記本体には複数のブラシと、前記複数のブラシが着脱式に結合されるブラシ柄本体が収容され、前記複数のブラシとブラシ柄本体が載置されるブラシ載置溝及びブラシ柄本体載置溝が形成されて、ブラシ柄本体からブラシが着脱可能にすることによって、使用者が必要によってブラシのみを取り替えて用いることができるので、携帯が便利な長所がある。【選択図】図２
2013526397.tif 000002
【特許請求の範囲】
【請求項１】
内容物が貯蔵される複数の収納溝が区画される本体と、前記本体を開閉するように結合される蓋とで構成されるメイクアップ化粧品容器において、
前記本体には、複数のブラシと、前記複数のブラシが着脱式に結合されるブラシ柄本体とが収容され、前記複数のブラシとブラシ柄本体が載置されるブラシ載置溝及びブラシ柄本体載置溝が形成されることを特徴とするブラシの着脱が可能な化粧ブラシが備えられたメイクアップ化粧品容器。
【請求項２】
前記ブラシ柄本体は、
所定長さを有し、中空が形成された柄部と；
前記柄部の両側に延長して形成されてブラシが結合され、一部が切開して形成される切開部と、前記切開部の端部で上部に突出して形成されてブラシを固定させる突起とを含むブラシ結合部と；
前記柄部の両側にそれぞれ形成されて、前記ブラシ結合部の切開部を加圧するボタン部と；で構成されることを特徴とする請求項１に記載のブラシの着脱が可能な化粧ブラシが備えられたメイクアップ化粧品容器。
【請求項３】
前記ブラシの下部には、外周面を囲む突出部が形成され、前記ブラシ載置溝には前記突出部が結合されるブラシ固定溝が備えられることを特徴とする請求項１に記載のブラシの着脱が可能な化粧ブラシが備えられたメイクアップ化粧品容器。
【請求項４】
前記ブラシ載置溝には上部が開放された円形で、内側方向に弾性力が提供されて、複数のブラシを固定させるブラシ固定部が備えられることを特徴とする請求項１に記載のブラシの着脱が可能な化粧ブラシが備えられたメイクアップ化粧品容器。
【発明の詳細な説明】
【技術分野】
【０００１】
本発明はブラシの着脱が可能な化粧ブラシが備えられたメイクアップ化粧品容器に関するもので、さらに詳しくは、ブラシ柄本体からブラシを着脱可能にすることによって、使用者が必要によってブラシのみを取り替えて用いることができるので、携帯が便利なブラシの着脱が可能な化粧ブラシが備えられたメイクアップ化粧品容器に関する。
【背景技術】
【０００２】
今日、現代社会は急速に多様に変化する時代の流れにより、老若男女関らず必要によって化粧品を愛用している実情である。特に、女性の場合には、多様な種類の化粧品と多様な色彩を取り揃えた化粧用品及び道具などを用いており、関連会社の研究開発によって多様な良質の化粧用品及び道具が毎日市場で発売されている。
【０００３】
一般的に、メイクアップ化粧は基礎化粧が終わった後、さらに美しく仕上げる目的で用いる化粧品で、美的、色彩、流行などを考慮しなければならない実用的な化粧と言えることができ、故に、常用方法や熟練度によって効果の差が大きい化粧である。
【０００４】
前記メイクアップ化粧は、まずメイクアップベース、ファンデーション、パウダーを利用した肌表現化粧品と、アイシャドウ、アイライナー、アイブロウ、マスカラを利用したアイメイク化粧品と、口紅、リップグロス、リップクリームを利用した唇用化粧品と、頬及び顎部分などにメイクアップ化粧をする時利用するチークタッチ用化粧品とに大きく分類される。このようなメイクアップ化粧品の中で口紅またはアイシャドウペンシルタイプ、固形タイプとクリームタイプなどの種類があり、その中、ケーキやクリームタイプは多様なメイクアップ化粧材料が一つのケースに収納された製品であるので、さらに選好し、この収納ケースの内部にメイクアップ化粧材料とともに化粧ブラシなどが収納されている。
【０００５】
前記のように、メイクアップ化粧に用いられる口紅またはアイシャドウなどの従来のメイクアップ化粧品用ケースは、図１に示すように、区画された複数の収納空間である収納部１１に多様な色彩のメイクアップ化粧材料がそれぞれ収容され、一側に化粧ブラシ１２が載置されて収容されるように形成された本体１０と、前記本体にヒンジを介して結合されて、所定角度回動して折り畳まれるように形成され、内側面には鏡Ｍが付着された蓋２０とで構成されている。
【０００６】
前述した従来のメイクアップ化粧品容器は、使用者が蓋を開いて、化粧ブラシの柄部を取って使用しようとするメイクアップ化粧材料の適正量をブラシに吸収させた後、蓋の内側面に形成された鏡を見ながら所望の部位に塗り、使用者が所望のカラーでメイクアップ化粧を完了すると、化粧ブラシを本体内の該当位置に載置させて収納して保管する。
【０００７】
しかし、前記のような従来のメイクアップ化粧品容器は収納部に収容される多様な色彩のメイクアップ化粧材料を一つの化粧ブラシを利用して使うため、各色彩のメイクアップ化粧材料が繰り返して使われ、メイクアップ化粧材料の色が変質するおそれがあり、これを防止するために、各色による複数の化粧ブラシを備えなければならないため、携帯が不便になるという問題点があった。
【発明の概要】
【発明が解決しようとする課題】
【０００８】
本発明は上述した問題点を解決するために案出されたもので、本発明は、ブラシ柄本体からブラシを着脱可能にすることによって、使用者が必要によってブラシのみを取り替えて用いることが可能であるので、携帯が便利なブラシの着脱が可能な化粧ブラシが備えられたメイクアップ化粧品容器を提供することを目的とする。
【０００９】
また、ブラシ柄本体からブラシを着脱可能にすることによって、一つのメイクアップ化粧品容器内に使用者が所望のブラシをセット化して所持することができるので、使用者に便宜を提供することができるブラシの着脱が可能な化粧ブラシが備えられたメイクアップ化粧品容器を提供することを目的とする。
【課題を解決するための手段】
【００１０】
前記のような問題点を解決するために、本発明によるブラシの着脱が可能な化粧ブラシが備えられたメイクアップ化粧品容器は、内容物が貯蔵される複数の収納溝が区画される本体と、前記本体を開閉するように結合される蓋とで構成されるメイクアップ化粧品容器において、前記本体には、複数のブラシと、前記複数のブラシが着脱式に結合されるブラシ柄本体が収容され、前記複数のブラシとブラシ柄本体が載置されるブラシ載置溝及びブラシ柄本体載置溝が形成されることを特徴とする。
【００１１】
また、前記ブラシ柄本体は、所定長さを有し、中空が形成された柄部と；前記柄部の両側に延長して形成されてブラシが結合され、一部を切開して形成される切開部と、前記切開部の端部で上部に突出して形成されて、ブラシを固定させる突起とを含むブラシ結合部と；前記柄部の両側にそれぞれ形成されて、前記ブラシ結合部の切開部を加圧するボタン部と；で構成されることを特徴とする。
【００１２】
また、前記ブラシの下部には外周面を囲む突出部が形成され、前記ブラシ載置溝には前記突出部が結合されるブラシ固定溝が備えられることを特徴とする。
【００１３】
また、前記ブラシ載置溝には上部が開放された円形で、内側方向に弾性力が提供されて、複数のブラシを固定させるブラシ固定部が備えられることを特徴とする。
【発明の効果】
【００１４】
上述したように、本発明によれば、ブラシ柄本体からブラシを着脱可能にすることによって、使用者が必要によってブラシのみを取り替えて用いることができるので、携帯が便利であるという長所がある。
【００１５】
また、ブラシ柄本体からブラシの着脱が可能になるようにすることによって、一つのメイクアップ化粧品容器内に使用者が所望のブラシをセット化して所持することができるので、使用者に便宜を提供することができるという長所がある。
【図面の簡単な説明】
【００１６】
【図１】従来の化粧ブラシが備えられたメイクアップ化粧品容器の構成を示す斜視図である。
【図２】本発明の好ましい実施例によるブラシの着脱が可能な化粧ブラシが備えられたメイクアップ化粧品容器の構成を示す分解斜視図である。
【図３】本発明の好ましい実施例によるブラシの着脱が可能な化粧ブラシが備えられたメイクアップ化粧品容器の構成を示す結合斜視図である。
【図４】本発明の好ましい実施例によるブラシの着脱が可能な化粧ブラシが備えられたメイクアップ化粧品容器のブラシとブラシ柄本体の着脱過程を示す説明図である。
【図５】本発明の好ましい実施例によるブラシの着脱が可能な化粧ブラシが備えられたメイクアップ化粧品容器のブラシとブラシ柄本体の着脱過程を示す説明図である。
【図６】本発明のまた他の実施例によるブラシの着脱が可能な化粧ブラシが備えられたメイクアップ化粧品容器の構成を示す斜視図である。
【図７】本発明のまた他の実施例によるブラシの着脱が可能な化粧ブラシが備えられたメイクアップ化粧品容器の構成を示す斜視図である。
【図８】本発明のまた他の実施例によるブラシの着脱が可能な化粧ブラシが備えられたメイクアップ化粧品容器の構成を示す斜視図である。
【発明を実施するための形態】
【００１７】
以下、図面を参照して本発明を詳しく説明する。各図面に提示された同じ参照符号は同じ部材を示す。
【００１８】
図２は本発明の好ましい実施例によるブラシの着脱が可能な化粧ブラシが備えられたメイクアップ化粧品容器の構成を示す分解斜視図であり、図３は本発明の好ましい実施例によるブラシの着脱が可能な化粧ブラシが備えられたメイクアップ化粧品容器の構成を示す結合斜視図であり、図４及び図５は本発明の好ましい実施例によるブラシの着脱が可能な化粧ブラシが備えられたメイクアップ化粧品容器のブラシとブラシ柄本体の着脱過程を示す説明図である。
【００１９】
図２〜５によれば、本発明の好ましい実施例によるブラシの着脱が可能な化粧ブラシが備えられたメイクアップ化粧品容器は本体１００と蓋２００とを含む。
【００２０】
前記本体１００は内容物が貯蔵される複数の収納溝１１０が区画され、前記本体１００内には収納溝１１０に貯蔵される内容物を使用できるように化粧ブラシａが備えられる。
【００２１】
本発明において、前記化粧ブラシａはブラシ柄本体１４０からブラシ１５０が着脱可能に構成されることが特徴であり、これによって、多様な色彩からなる内容物を利用して化粧をする際に、それぞれの色彩によって使用者が選択的にブラシ１５０を取り替えて使用することができる。
【００２２】
前記本体１００には使用者が選択的にブラシ１５０を取り替えて用いることができるように、複数のブラシ１５０を収容することができるブラシ載置溝１３０が形成される。前記ブラシ載置溝１３０には複数のブラシ１５０を固定させるブラシ固定部１３１が備えられることが好ましい。前記ブラシ固定部１３１は上部が開放された円形で、内側方向に弾性力が提供されて、前記ブラシ１５０を結合する時に、上端が両側に若干広がってから、ブラシ１５０の結合が完了されると復元されてブラシ１５０を固定させるように構成される。
【００２３】
また、前記本体１００には前記複数のブラシ１５０が着脱式に結合されるブラシ柄本体１４０を収容することができるようにブラシ柄本体載置溝１２０が形成される。前記ブラシ柄本体１４０は柄部１４１、ブラシ結合部１４２及びボタン部１４３を含む。
【００２４】
前記柄部１４１は、使用者が把持することができるように所定長さを有するもので、ブラシ結合部１４２を結合することができるように中空１４１ａが形成され、上端両側にはボタン部１４３を結合することができるようにボタン結合孔１４１ｂが形成される。
【００２５】
前記ブラシ結合部１４２は前記柄部１４１の両側に延長して形成されて、ブラシ１５０が結合されるもので、ブラシ１５０の着脱が可能になるように、一部を切開して形成されて、ボタン部１４３の加圧によって上下に移動される切開部１４２ａが形成され、前記切開部１４２ａの端部には上部に突出して形成されて、ブラシ１５０を固定させる突起１４２ｂが形成される。前記ブラシ１５０の内側には前記突起１４２ｂが載置される装着突起１５１が形成されることが好ましい。
【００２６】
前記ボタン部１４３は前記柄部１４１の上部両側にそれぞれ形成されて、使用者の加圧によって前記ブラシ結合部１４２の切開部１４２ａを加圧するもので、ブラシ１５０を離脱する際にボタン部１４３を加圧すれば、ボタン部１４３が切開部１４２ａを下方向に移動させる。この時、前記切開部１４２ａの端部に形成された突起１４２ｂが切開部１４２ａとともに下方に移動して、ブラシ１５０の内側に形成された装着突起から離脱されて、ブラシ１５０の脱離を可能にする。
【００２７】
前記蓋２００は前記本体１００の一側にヒンジ結合されて本体１００を開閉するもので、前記蓋２００の内側には使用者が化粧ブラシを利用して化粧の時に化粧部位を確認することができるように鏡Ｍが備えられることが好ましい。
【００２８】
また、前記蓋２００はブラシ載置溝１３０の側面部を閉鎖させることができるように、ブラシ載置溝１３０と当接する側面部が下方向に延長される延長部２１０が形成されることが好ましい。
【００２９】
以下、図６〜図８を参照して本発明のまた他の実施例によるブラシの着脱が可能な化粧ブラシが備えられたメイクアップ化粧品容器を説明する。
【００３０】
図６〜図８によれば、本発明のまた他の実施例によるブラシの着脱が可能な化粧ブラシが備えられたメイクアップ化粧品容器は、ブラシ柄本体１４０’とブラシ１５０’の結合及び解体が容易になるようにその構造を簡単に設計したもので、前記ブラシ柄本体１４０’が、使用者が把持できるように所定長さを有する柄部１４１’と、前記柄部１４１’の一側端部から延長して形成されて、ブラシ１５０’が結合されるブラシ結合部１４２’とで構成されて、前記ブラシ１５０’とスライディング方式に簡単に結合されることが特徴である。
【００３１】
一方、前記ブラシ１５０’はその下部に外周面を囲む突出部１５１が形成され、前記ブラシ載置溝１３０’には前記突出部１５１が結合されるように突出部１５１に対応するブラシ固定溝１３２が備えられて、ブラシ載置溝１３０’にブラシ１５０’が結合する際にブラシ１５０’を固定させる。
【００３２】
前記ブラシ載置溝１３０’はブラシ１５０’を結合する時ブラシ１５０’が前後左右に移動することを防止し、使用者がブラシ柄本体１４０’をブラシ１５０’に結合した後、ブラシ柄本体１４０’を上方向に移動させる場合、ブラシ１５０’がブラシ固定溝１３２から離脱されて使用可能になる。
【００３３】
また、前記ブラシ載置溝１３０’は複数のブラシ１５０’が載置されることができるように所定間隔離隔されて複数形成されることが好ましい。
【００３４】
図面と明細書に最適な実施形態が開示された。ここで、特定の用語を用いたが、これはただ本発明を説明するための目的で用いられたもので、意味の限定や特許請求の範囲に記載された本発明の範囲を制限するために用いられたものではない。また、本技術分野において通常の知識を有する者であれば、これから多様な変形及び均等な他の実施形態が可能であることは理解すべきである。従って、本発明の真の技術的保護範囲は添付された特許請求の範囲の技術的思想によって定められるべきである。
【図１】
2013526397.tif 000003
【図２】
2013526397.tif 000004
【図３】
2013526397.tif 000005
【図４】
2013526397.tif 000006
【図５】
2013526397.tif 000007
【図６】
2013526397.tif 000008
【図７】
2013526397.tif 000009
【図８】
2013526397.tif 000010
【国際調査報告】
2013526397.tif 000011
2013526397.tif 000012
2013526397.tif 000013
2013526397.tif 000014